(57)【要約】【課題】ネットワーク上で遺影を保管する際、登録情報の流出を防止する。【解決手段】ネットワーク１０上に遺影登録サイト１１を設け、前記サイト１１に認証サーバ１５を設けて、遺影登録者１２、遺族１３や葬祭業者１４の認証を行なうようにするとともに、データベース１６を設けて、認証を受けた登録者の登録情報と関連付けて遺影データを保管できるようにする。この保管した遺影データが必要な場合は、認証サーバ１５が葬祭業者１４の認証を行なって、ダウンロードできるようにする。このように、登録サイト１１を介在させて葬祭業者（例えば、写真業者）１４が、遺影データのみをダウンロードするだけで、不必要な登録情報などのプライベート情報を保持しないようにして、登録情報の流出を防止する。【選択図】図１
2008269064.tif 000002
【特許請求の範囲】
【請求項１】
ネットワーク上に遺影登録サイトを設け、前記サイトにデータベースを設けて遺影データを登録して保管するようにし、かつ、前記サイトに認証サーバを設けて、前記遺影データの登録者の認証を行ってデータベースへのデータのアップロードをできるようにするとともに、前記保管された遺影データを必要とする際に、葬祭業者の認証を行なってダウンロードさせるようにした遺影保管システム。
【請求項２】
上記認証サーバが、遺影登録者の認証をしたときのみ、データベースに保管した遺影データの変更を受付けるようにした請求項１に記載の遺影保管システム。
【請求項３】
上記認証サーバが遺族の認証を行なうようにし、遺影データを必要とする際に、遺族の認証を行なって葬祭業者のダウンロードを許可できるようにした請求項１または２に記載の遺影保管システム。
【請求項４】
上記認証サーバの遺影登録者、遺族及び葬祭業者の認証をＩＤ、パスワードに加えて、予め登録した遺影登録者、遺族、葬祭業者の個人情報あるいは業者情報の一部を使用するようにした請求項１乃至３のいずれかに記載の遺影保管システム。
【発明の詳細な説明】
【技術分野】
【０００１】
この発明は、ネット上で遺影データを保管する遺影保管システムに関するものである。
【背景技術】
【０００２】
遺影写真は、葬儀までの限られた時間内に、残された写真の中から選択しなければならないため、例えば、喪主や親族で意見が分かれたり、迷いが残ったりする場合がある。
【０００３】
このような問題を解決する一つの方法として、（特許文献１）には、写真業者がネットワーク上にＷＥＢサイトを開設し、その開設したＷＥＢサイトに顧客ごとに割り当てたＷＥＢページを設けて、写真業者が依頼を受けて撮影した顧客の複数の画像をアップするようにしたものが記載されている。
【０００４】
このものでは、顧客は、このＷＥＢページへアクセスするためのパスワードとＩＤが与えられる。また、パスワードは、家族や親戚用のパスワードと本人用パスワードを設定するようになっており、本人用パスワードでアクセスできるページを設けて、顧客本人が遺影写真として使用したいと希望する画像を選択できるようにしてある。さらに、葬儀を行なうか否かの選択情報、死亡時における知人や友人の連絡先一覧を示す情報、死亡後に配信したいメッセージ及びこのメッセージの配信先を示す情報、会葬者に対する挨拶を示す情報、その他葬儀に際して希望することを示す情報などのプライベート情報を登録するようになっている。
【０００５】
そして、顧客本人が死亡して遺影写真が必要になったときに、家族や親類が要求すると、パスワードとＩＤによる認証を行なったのち、写真をプリントアウトして届けるというものである。また、その際、登録したプライベート情報を表示することにより、葬儀の際に故人の意志を示すようにできるというものである。
【０００６】
【特許文献１】特開２００３−２８８４２３号公報
【発明の開示】
【発明が解決しようとする課題】
【０００７】
しかしながら、上記の方法では、写真業者が不必要な顧客のプライベート情報まで持つことになる。このようなプライベート情報には、友人や知人の連絡先などの個人情報が含まれており、流出すると困る。また、このようなプライベート情報は、葬儀が終われば不必要となるので、その取扱いの問題もある。
【０００８】
そこで、この発明の課題は、ネットワーク上で遺影を保管する際、登録情報の流出を防止できるようにすることである。
【課題を解決するための手段】
【０００９】
上記の課題を解決するため、この発明では、ネットワーク上に遺影登録サイトを設け、前記サイトにデータベースを設けて遺影データを登録して保管するようにし、かつ、認証サーバを設けて、前記遺影データの登録者の認証を行ってデータベースへのデータのアップロードをできるようにするとともに、前記保管された遺影データを必要とする際に、葬祭業者の認証を行なってダウンロードさせるようにした構成を採用したのである。
【００１０】
このような構成を採用したことにより、遺影登録サイトをネットワーク上に設け、この登録サイトに遺影を保管する。葬儀で遺影が必要な場合は、葬祭業者（写真業者）が前記登録サイトへアクセスし、認証サーバによる認証を受けて遺影データのみをダウンロードする。このように、登録サイトを介在させて葬祭業者（写真業者）は、遺影データのみをダウンロードするようにしたので、不必要な顧客の、例えば認証用の情報などの個人的なプライベート情報を保持しないようにできる。また、登録サイトは、遺影やプライバシー情報の保管管理サイトとして設けたものなので、使用済みのプライベート情報を登録サイトが管理して、責任を持って保管あるいは削除する。
【００１１】
また、このとき、認証サーバが、遺影登録者の認証をしたときのみ、データベースに保管した遺影データの変更を受付けるようにした構成を採用することができる。
【００１２】
このような構成を採用することにより、遺影の登録者は、遺影データの中から生前に好みの遺影を選択しておくことができる。
【００１３】
また、このとき、認証サーバが遺族の認証を行なうようにし、遺影データを必要とする際に、遺族の認証を行なって葬祭業者のダウンロードを許可できるようにした構成を採用することができる。
【００１４】
このような構成を採用することにより、遺族によって遺影を葬祭業者へ送信することができる。
【００１５】
このとき、認証サーバの遺影登録者、遺族及び葬祭業者の認証をＩＤ、パスワードに加えて、予め登録した遺影登録者、遺族、葬祭業者の個人情報あるいは業者情報の一部を使用するようにした構成を採用することができる。
【００１６】
このような構成を採用することにより、認証サーバが本人しか知り得ない個人情報あるいは業者情報の一部を使用して認証するのでセキュリティーの向上が図れる。
【発明の効果】
【００１７】
この発明は、以上のように構成したことにより、遺影データを保管し、かつ、プライベート情報を安全に管理することができる。
【発明を実施するための最良の形態】
【００１８】
以下、この発明を実施するための最良の形態を図面に基づいて説明する。
【００１９】
図１に示すように、この形態の遺影保管システムは、ネットワーク１０上に遺影登録サイト１１を設け、前記サイト１１にネットワーク１０を介して遺影登録者１２、遺族（ここでは、家族、親族など将来遺族となるものを遺族とする）１３、葬祭業者（写真業者を含む）１４がパソコンを使ってアクセスする構成となっている。
【００２０】
前記遺影登録サイト１１は、認証サーバ１５とデータベースサーバ１６を備えており、認証サーバ１５は、遺影登録者１２とその遺族１３及び葬祭業者１４の認証を行なう。この形態の場合、認証は、ＩＤとパスワード（暗証番号）及び後述の本人確認用の登録情報を用いて行なう。
【００２１】
前記ＩＤは、遺影登録者（本人）１２と葬祭業者１４に認証用のものを、それぞれ、発行するが、発行の際にパスワードを登録させる。また、遺影登録者１２の遺族１３は、遺影登録者１２と同じＩＤとし、異なるパスワードを登録させることにより、遺影登録者１２の遺族１３であることを識別できるようにしてある。
【００２２】
データベースサーバ１６は、遺影登録者１２の遺影データを保管し、登録情報を保存する。また、このとき、両者を例えば、後述するように、関連付けて保存することにより、登録情報から遺影データを検索できるようにしてある。遺影データは複数個の登録が可能で、登録した複数の遺影データの中から好みのものを選択して遺影として設定できるようにしてある。
【００２３】
これ以外に、遺影登録サイト１１には、遺影登録者１２や葬祭業者１４の認証登録を行なう受付サーバや使用料金の決済を行なう決済サーバなどを備える構成を採用してもよい。
【００２４】
この形態は、上記のように構成され、次に、その運用方法を図２（ａ）〜（ｃ）のフローに基づいて述べることにより、本願の遺影保管システムを説明する。
【００２５】
この遺影保管システムでは、遺影の保管を依頼する場合は、図１のネットワークに接続された端末でもって遺影登録サイト１１へアクセスし、図２（ａ）のように、会員登録を行う。ここでは、会員登録は受付サーバ（図示せず）で行なう。
【００２６】
すなわち、受付サーバは、端末画面に登録ページを表示して、例えば、「住所」、「氏名」、「電話番号」、「メールアドレス」などの本人確認用の情報を登録させるとともに、登録者本人が指定する遺族、例えば「親」、「兄弟」、「親族」、「知人」などの連絡先（複数可）を入力させる。入力した登録情報は、例えば、遺影登録者１２ごとのテーブルを設けデータベース化して、データベースサーバ１６へ蓄積する（Ｓｔｅｐ１）。
【００２７】
こうして、所要の情報を登録すると、ＩＤが付与されパスワードの入力を要求するので、適宜パスワードを入力して本人登録が終了する（Ｓｔｅｐ２）。
【００２８】
本人登録が終了すると、図２（ａ）のように、先程指定した連絡先の「遺族」が使用するパスワードの設定を行う（Ｓｔｅｐ３）。これらの設定したパスワードは、ＩＤ及び本人確認情報と共に、認証サーバ１５に登録して遺族の認証の際に使用する。すなわち、遺影登録者１２が指定した連絡先の遺族は、遺影登録者１２のＩＤと遺影登録者が個々に設定したパスワードを使用することで、遺影を必要とする葬儀などの際に、遺影登録サイト１１へログ・インして、遺影をダウンロードさせることができるようにしてある。そのため、遺影を必要とする葬儀の際に、パスワードが必要となるので、取得したＩＤと一緒に連絡先の遺族１３に、遺影を遺影登録サイト１１へ保管したことを知らせておく。
【００２９】
一方、葬祭業者１４も遺影を受け取るために、遺影登録サイト１１へ事前に登録しておく必要がある。例えば、前述したのと同様、図２（ａ）のように、受付サイトで業者の名称、代表者、住所、電話番号、・・・などの確認情報を登録すると（Ｓｔｅｐ４）、ＩＤが付与されるので（Ｓｔｅｐ５）、パスワードを設定する。また、葬祭業者１４の場合は、登録前に業者の審査をするのであれば、郵送による登録も考慮しても良い。
【００３０】
このような、登録が済むと、遺影登録者１２は、例えば、図２（ｂ）のように、遺影登録サイト１１へアクセスし、遺影を保管することができる。アクセスは、認証サーバ１５でＩＤとパスワードの認証を受け、さらに、認証サーバ１５が提示する本人確認情報の一部を入力することで認証を受けたのち、ログ・インする（Ｓｔｅｐ６）。ログ・インすると、遺影データの登録や登録した遺影の変更ができるので、図２（ｂ）のように、気に入った遺影をアップロードしたり、アップロードした遺影を気に入ったものに変更したりする（Ｓｔｅｐ７）。
【００３１】
このとき、登録する遺影は、デジタルカメラで撮影したものでも写真をスキャナでスキャンしたものであっても構わない。デジタルデータ化したものであればアップロードして保管することができる。
【００３２】
このように、遺影データの登録や変更をＩＤとパスワードの認証以外に本人の確認情報の一部を用いて行なうことで、不正アクセスや「なりすまし」などを防止できるようにしている。
【００３３】
こうして、遺影データを保管すると、遺影登録者は、遺影登録サイト１１に登録している中から葬儀業者１４を選択し、葬儀のときに遺影データを配信する配信先を設定しておく。
【００３４】
いま、遺影登録者１２が、遺影データを保管し亡くなると、図２（ｃ）のように、残された遺族１３は遺影データを葬祭業者１４へ配信するために遺影登録サイト１１へアクセスする。アクセスした遺族１３は、遺影登録サイト１１の認証サーバ１５で認証を受けるが、認証の際には、ＩＤは遺影登録者１２のものを使用し、パスワードは遺族用のものを使用する。このように、遺影登録者１２と同じＩＤを使い、パスワードは遺影登録者１２と異なるものを使用することで、遺影登録者１２の遺族であることがわかる。さらに、認証サーバ１５が提示する本人確認情報の一部（ここでは、登録者１２のものであるが、これに限定されない遺族１３のものでもよい）を入力することで認証を受ける（Ｓｔｅｐ８）。認証を受けると遺族１３の権限で遺影データの配信を許可できるので、予め設定された葬祭業者１４への配信を許可する（Ｓｔｅｐ９）。この後、遺影データの受け取りを葬祭業者へ連絡する（Ｓｔｅｐ１０）。
【００３５】
葬祭業者１４は連絡を受けると、遺影登録サイト１１へアクセスし、認証サーバ１５で認証を受ける。認証は、ＩＤとパスワードによる認証に加えて、認証サーバ１５が提示する本人確認情報の一部を入力することで認証を受ける（Ｓｔｅｐ１１）。こうすることで、「なりすまし」などを極力排除する。
【００３６】
認証を受けると、葬祭業者１４は、例えばダウンロードページが表示されてダウンロード可能な遺影ファイルの一覧が表示されるので、配信を許可された遺影をダウンロードする（Ｓｔｅｐ１２）。ダウンロードしたファイルは、印刷して遺影を出力すれば、葬儀に使用することができる。
【００３７】
このように、登録情報や遺影データは認証を受けたものにしか公開せず、原則的には会員のプライベートボックスとして管理する。また、登録内容の閲覧や更新は、会員の登録情報が合致した上でアクセス可能とするのである。さらに、登録情報は、遺影登録サイト１１が管理しているので、使用後（例えば、遺影データの配信後は）責任を持って保管あるいは削除する。
【００３８】
このようなことから、この遺影保管システムは、故人が生前に自らが望んでいた遺影写真を使用することができるので、遺族の心労も軽減できる。その際、不必要な情報の流出を防止できる。
【００３９】
なお、この形態では、遺影登録サイトへのアクセスにパソコンを使用したものについて述べたが、これに限定されるものではない。ネットワークに接続してユーザ登録や遺影データの登録ができるものであれば、パソコンに換えて携帯電話などのモバイル端末を使用するようにしてもよい。
【図面の簡単な説明】
【００４０】
【図１】実施形態のブロック図
【図２】（ａ）、（ｂ）、（ｃ）実施形態のシステムフロー図
【符号の説明】
【００４１】
１０  ネットワーク
１１  遺影登録サイト
１２  遺影登録者
１３  遺族
１４  葬祭業者 
１５  認証サーバ
１６  データベースサーバ
【図１】
2008269064.tif 000003
【図２】
2008269064.tif 000004